(57)【要約】【課題】水路形成部材を小型化しつつ、通水孔の断面積の確保を図れる技術を提供する。【解決手段】軸線方向に延びる水路形成部材６２と、水路形成部材６２に形成される第１通水孔９４及び第２通水孔９５と、水路形成部材６２に対して軸線方向の一方側に設けられ、第１通水孔９４及び第２通水孔９５のそれぞれの流入口に水を流入させるための通水路と、第２通水孔９５の流入口を開閉可能な弁体と、を備え、第１通水孔９４及び第２通水孔９５のそれぞれの中心Ｃｂ１、Ｃｂ２は、水路形成部材６２の軸線方向に直交する断面において、水路形成部材の外形中心Ｃｂ０に対して偏心し、水路形成部材６２には、第１通水孔９４及び第２通水孔９５のそれぞれに対して、その通水孔が外形中心Ｃｂ０から偏心する方向Ｐｙ１、Ｐｙ２に空洞が形成されていない。【選択図】図７
2019027257.tif 000002
【特許請求の範囲】
【請求項１】
軸線方向に延びる水路形成部材と、
前記水路形成部材に形成される第１通水孔及び第２通水孔と、
前記水路形成部材に対して前記軸線方向の一方側に設けられ、前記第１通水孔及び前記第２通水孔のそれぞれの流入口に水を流入させるための通水路と、
前記第２通水孔の流入口を開閉可能な弁体と、を備え、
前記第１通水孔及び前記第２通水孔のそれぞれの中心は、前記水路形成部材の前記軸線方向に直交する断面において、前記水路形成部材の外形中心に対して偏心し、
前記水路形成部材には、前記第１通水孔及び前記第２通水孔のそれぞれに対して、その通水孔が前記外形中心から偏心する方向に空洞が形成されていない吐水部品。
【請求項２】
前記水路形成部材に対して前記軸線方向の一方側に設けられ、前記軸線方向に延びる他の水路形成部材と、
前記他の水路形成部材に形成され、前記通水路となる第１空洞と、
前記他の水路形成部材に形成され、前記弁体を収納する第２空洞と、を備え、
前記第１空洞及び前記第２空洞のそれぞれの中心は、前記他の水路形成部材の前記軸線方向に直交する断面において、前記他の水路形成部材の外形中心に対して偏心し、
前記他の水路形成部材には、前記第１空洞及び前記第２空洞のそれぞれに対して、その空洞が前記外形中心から偏心する方向に他の空洞が形成されていない請求項１に記載の吐水部品。
【請求項３】
前記水路形成部材を有するとともに前記弁体を内蔵し、前記軸線方向に延びる本体部と、
前記本体部の外周部から突出し、前記本体部の中心軸線周りの一部の範囲に設けられる突出部と、
前記突出部の少なくとも一部として設けられ、外力を受けて操作されることで前記弁体の開閉状態を切り替え可能な操作部材と、を備える請求項１または２に記載の吐水部品。
【請求項４】
前記水路形成部材は、前記第１通水孔及び前記第２通水孔を取り囲む第１外周壁部と、前記第１通水孔と前記第２通水孔を隔てる第１仕切り壁部と、を有し、
前記第１外周壁部は、前記第１通水孔に対して前記第１通水孔が前記外形中心から偏心する方向に位置する範囲にて、同等の肉厚を持って延びており、
前記第１仕切り壁部は、少なくとも他の壁部との接続部以外の箇所が同等の肉厚を持って延びている請求項１から３のいずれかに記載の吐水部品。
【請求項５】
請求項１から４のいずれかに記載の吐水部品を備える水栓装置。
【発明の詳細な説明】
【技術分野】
【０００１】
本発明は、吐水部品及びこれを用いた水栓装置に関する。
【背景技術】
【０００２】
従来より、吐水態様を切り替え可能な吐水部品が提案されている。特許文献１には、回転式ハンドルを継手部材に回転可能に保持させ、ハンドルの内側に配置される切替部材をハンドルの回転操作により昇降な吐水部品が開示されている。この吐水部品では、切替部材の昇降動作によって、シャワー吐水とストレート吐水の間で吐水態様が切り替えられる。この吐水部品の切替部材には、シャワー吐水用の第１通水孔とストレート吐水用の第２通水孔とが形成される。この切替部材では、第１通水孔と第２通水孔が同心状の二重筒構造をなしている。
【先行技術文献】
【特許文献】
【０００３】
【特許文献１】特開２００８−３０３６５８号公報
【発明の概要】
【発明が解決しようとする課題】
【０００４】
前述の切替部材のような水路形成部材には、意匠性の面から小型化への要求がある。この一方で、水路形成部材の小型化を図ると、通水孔の断面積の減少を招き、通水孔を通る水の流量を確保し難くなる。特に、水路形成部材に形成される通水孔の流入口を弁体により開閉するケースでは、その流入口を形成する壁部の厚肉化を要するため、余計に通水孔の断面積が減少し易くなる。このようなケースのもと、水路形成部材を小型化しつつ、通水孔の断面積の確保を図ろうとした技術は未だ提案されていない。
【０００５】
本発明のある態様は、このような課題に鑑みてなされ、その目的の１つは、水路形成部材を小型化しつつ、通水孔の断面積の確保を図れる技術を提供することにある。
【課題を解決するための手段】
【０００６】
本発明の第１態様は吐水部品である。第１態様の吐水部品は、軸線方向に延びる水路形成部材と、前記水路形成部材に形成される第１通水孔及び第２通水孔と、前記水路形成部材に対して前記軸線方向の一方側に設けられ、前記第１通水孔及び前記第２通水孔のそれぞれの流入口に水を流入させるための通水路と、前記第２通水孔の流入口を開閉可能な弁体と、を備え、前記第１通水孔及び前記第２通水孔のそれぞれの中心は、前記水路形成部材の前記軸線方向に直交する断面において、前記水路形成部材の外形中心に対して偏心し、前記水路形成部材には、前記第１通水孔及び前記第２通水孔のそれぞれに対して、その通水孔が前記外形中心から偏心する方向に空洞が形成されていない。
【０００７】
第１態様によれば、第１通水孔と第２通水孔が同心状の二重筒構造を構成する場合と比べ、二重筒構造を構成するうえで要する壁部の一部を省けるようになる。これにより、水路形成部材が二重筒構造を構成する場合と比べ、水路形成部材を小型化しつつも、第１通水孔、第２通水孔の断面積を確保するように設計し易くなる。
【図面の簡単な説明】
【０００８】
【図１】本実施形態の吐水装置の側面図である。
【図２】本実施形態の吐水ヘッドが装置本体に装着された状態を示す図である。
【図３】本実施形態の吐水装置の一部の拡大断面図である。
【図４】本実施形態の吐水ヘッドの側面断面図である。
【図５】本実施形態の第２水路形成部材及び第３水路形成部材内での水の流れ方を示す図である。
【図６】本実施形態の第２水路形成部材の基端側端面の一部を示す図である。
【図７】図４のＢ−Ｂ線断面図である。
【図８】図４のＣ−Ｃ線断面図である。
【図９】図４の矢視Ｘａから吐水ヘッドを見た図である。
【図１０】図１０（ａ）は、参考例の水路形成部材の断面図であり、図１０（ｂ）は、図１０（ａ）と同じ視点から参考例の水路形成部材を見た図であり、図１０（ｃ）は、他の実施形態の水路形成部材の断面図であり、図１０（ｄ）は、他の実施形態の水路形成部材に関する効果を説明するための図である。
【発明を実施するための形態】
【０００９】
まず、本実施形態の吐水部品を想到するに到った背景から説明する。
図１０（ａ）は、参考例の水路形成部材２００を示す断面図である。本図では、水路形成部材２００の軸線方向に直交する断面を示す。本例の水路形成部材２００は、外周側の第１通水孔２０２と内周側の第２通水孔２０４が同心状に形成される二重筒構造である。本例の水路形成部材２００は、筒状の外周壁部２０６と、第１通水孔２０２と第２通水孔２０４を隔てる筒状の仕切り壁部２０８とを有する。
【００１０】
図１０（ｂ）は、図１０（ａ）と同じ視点から水路形成部材２００の端面を見た図である。第２通水孔２０４は、上流側の水路から水が流入する第２流入口２０４ａを有する。第２流入口２０４ａは、第２流入口２０４ａの周縁部に着座する弁体２１０により開閉可能である。本図では弁体２１０の着座箇所を示す。
【００１１】
この構造のもとでは、弁体２１０の閉弁時のシール性を確保する観点から、弁体２１０の着座箇所に対する接触面積の確保が要求される。これに伴い、第２流入口２０４ａを形成する壁部（仕切り壁部２０８）の厚肉化を要し、水路形成部材２００の全断面の中で仕切り壁部２０８の占める割合が大きくなる。これに起因して、水路形成部材２００の外径寸法を小型化しつつ、通水孔２０２、２０４の断面積の確保を図り難くなる。
【００１２】
また、水路形成部材２００の外周面部にＯリング等のシール部材が装着される場合、シール部材から付与される弾性力に対する強度を持たせるため、仕切り壁部２０８のみならず、外周壁部２０６の厚肉化も要してしまう。これに伴い、水路形成部材２００の全断面の中で外周壁部２０６の占める割合も大きくなり、前述の問題が助長される。
【００１３】
図１０（ｃ）は、この対策を図れる水路形成部材２１２の一例を示す図である。本例では後述の実施形態とは別の実施形態に係る水路形成部材２１２を示す。本例の第１通水孔２０２及び第２通水孔２０４それぞれの中心Ｃａ１、Ｃａ２は、水路形成部材２００の外形中心Ｃａ０に対して偏心している。また、水路形成部材２００には、第１通水孔２０２及び第２通水孔２０４のそれぞれに対して、その通水孔２０２、２０４の偏心方向Ｐｘ１、Ｐｘ２に空洞が形成されていない。本明細書での外形中心とは、言及している水路形成部材の外周面がなす形状の重心をいう。また、本明細書での偏心方向とは、言及している水路形成部材の外形中心から言及している通水孔（空洞）の中心に向かう方向をいう。また、本明細書での通水孔（空洞）の中心とは、言及している構成要素の内周面がなす形状の重心をいう。
【００１４】
この場合、前述の二重筒構造のように、通水孔２０４の中心Ｃａ２周りの全周に亘り、外周壁部２０６とは別に仕切り壁部２０８を形成せずともよくなる。よって、図１０（ｄ）に示すように、二重筒構造を構成するうえで要していた仕切り壁部２０８の一部Ｓｂを省けるようになる。これにより、前述の二重筒構造を構成する場合と比べ、水路形成部材２１２の外径寸法を小型化しつつも、通水孔２０２、２０４の断面積を確保するように設計し易くなる。以下、この考えを適用した実施形態の一例を説明する。
【００１５】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１６】
図１は、本実施形態の吐水装置１０の側面図である。図２、図３は、吐水装置１０の一部の拡大断面図である。図２は、吐水ヘッド１８が装置本体１４に装着された状態を示し、図３は、吐水ヘッド１８が装置本体１４から引き出された状態を示す。
【００１７】
本実施形態の吐水装置１０はキッチン等の流し台の表面に設置される。吐水装置１０は、主に、装置本体１４と、給水ホース１６と、吐水ヘッド１８と、センサ部材２０とを備える。装置本体１４は、吐水ヘッド１８等を支持する役割を持つ。本実施形態の装置本体１４は、吐水管２２等を用いて構成される。給水ホース１６は、フレキシブルホース等であり、可撓性を持つ素材を用いて構成される。給水ホース１６の内部には前述の給水路１２が形成される。吐水ヘッド１８は、給水ホース１６の下流端部に接続される。
【００１８】
吐水ヘッド１８は、装置本体１４に対して給水ホース１６とともに引き出し及び押し戻し可能である。吐水ヘッド１８は、給水源側となる給水ホース１６から流入する水を吐水口４２からシャワー吐水又はストレート吐水可能である。「シャワー吐水」とは、給水源側から送られる水を複数の吐水流としてシャワー状に吐き出す第１吐水態様をいう。「ストレート吐水」とは、給水源側から送られる水を単数の吐水流としてストレート（そのまま）に吐き出す第２吐水態様をいう。
【００１９】
センサ部材２０は、センサケースの内部に物体検知センサ２４等を収容して構成される。センサ部材２０は、装置本体１４に収容される。本実施形態の物体検知センサ２４は、赤外線式測距センサ、つまり、光電センサである。物体検知センサ２４は、所定の検知エリア２４ａ内での被検知物の有無を検知可能である。物体検知センサ２４は、検知エリア２４ａ内で物体が検知されることを、吐水装置１０の動作状態を切り替えるための切替操作として受け付ける。物体検知センサ２４が切替操作を受けたとき、不図示の制御部は、給水路１２に設けられる開閉弁４０（図１も参照）を開閉するように制御する。これにより、吐水装置１０の動作状態が吐水状態と吐水停止状態の間で切り替えられる。このように、本実施形態の吐水装置１０は、使用者による切替操作を受けて吐水状態と吐水停止状態を切り替え可能な水栓装置として機能する。
【００２０】
図４は、吐水ヘッド１８の側面断面図である。吐水ヘッド１８は、吐水口４２が形成されるとともに吐水口４２に通じる水路が内部に形成される本体部４６と、本体部４６の外周部から突出する突出部４８とを有する。本実施形態の本体部４６は、全体として、後述する第１軸線方向Ｐｃに延びる柱状をなす。突出部４８は、装置本体１４に対して吐水ヘッド１８を引き出す及び押し戻すときに使用者が持つ持ち手として機能する。
【００２１】
吐水ヘッド１８は、ケース部材５０と、水路形成ユニット５２と、操作ユニット５４とを有する。
【００２２】
ケース部材５０は、筒状の第１ケース部５０ａと、第１ケース部５０ａの外周部から突き出る筒状の第２ケース部５０ｂとを有する。ケース部材５０は中空構造であり、第１ケース部５０ａ及び第２ケース部５０ｂ内に一続きの内部空間が設けられる。吐水ヘッド１８の吐水口４２は第１ケース部５０ａの先端部に形成される。第２ケース部５０ｂは、先端側に向かって開く有底筒状をなす。
【００２３】
以下、第１ケース部５０ａの中心軸線Ｌｃに沿った方向を第１軸線方向Ｐｃといい、その中心軸線Ｌｃを中心とする円の半径方向を第１径方向Ｐｅという。また、第２ケース部５０ｂの中心軸線に沿った方向を第２軸線方向Ｐｄという。なお、第１軸線方向Ｐｃは、本体部４６、第１水路形成部材６０、第２水路形成部材６２それぞれの中心軸線Ｌｃに沿った方向でもある。
【００２４】
水路形成ユニット５２は、吐水口４２に通じる水路を形成する複数の水路形成部材６０、６２、６４をユニット化したものである。水路形成ユニット５２は、ケース部材５０の第１ケース部５０ａ内に収容される。水路形成ユニット５２は、吐水ヘッド１８の本体部４６の一部として、その本体部４６の内部に設けられる。
【００２５】
操作ユニット５４は、操作部材６６を他部材とともにユニット化したものである。この操作部材６６は、外力を受けて操作されることによって、水路形成部材６０に内蔵される弁機構１００の弁体１０２の開閉状態を切り替え可能である。操作ユニット５４は、ケース部材５０の第２ケース部５０ｂ内に収容される。操作ユニット５４は後述する。
【００２６】
複数の水路形成部材６０、６２、６４は、第１ケース部５０ａの第１軸線方向Ｐｃに直列に並べられ、隣り合う水路形成部材６０、６２、６４の間で接続される。複数の水路形成部材６０、６２、６４には、第１軸線方向Ｐｃの基端側から先端側にかけて順に第１水路形成部材６０、第２水路形成部材６２、第３水路形成部材６４が含まれる。
【００２７】
第１水路形成部材６０は、第１軸線方向Ｐｃに延びる柱状をなす。第１水路形成部材６０の基端部には、給水ホース１６がカプラ４４を介して接続される接続孔６０ｃが形成される。第１水路形成部材６０には、給水ホース１６から流入する水を通すための通水路８２が形成される。通水路８２は、第２水路形成部材６２に対して第１軸線方向Ｐｃの一方側となる基端側に設けられる。通水路８２は、後述する第１通水孔９４及び第２通水孔９５それぞれの流入口９４ａ、９５ａに水を流入させるためのものである。第１水路形成部材６０には、給水ホース１６から流入する水が衝突する障壁部８４が設けられる。障壁部８４は、通水路８２を上流側部分８２ａと下流側部分８２ｂに仕切る。障壁部８４には、通水路８２の上流側部分８２ａと下流側部分８２ｂを連通する不図示の連通孔が形成される。図４では連通孔を通る水の通水方向Ｐｆを参考に示す。
【００２８】
第２水路形成部材６２は、第１軸線方向Ｐｃに延びる柱状をなす。第２水路形成部材６２は、第１軸線方向Ｐｃの基端側から先端側にかけて順に、第１外径部６２ａと、第２外径部６２ｂと、第３外径部６２ｃとを有する。第１外径部６２ａにはＯリング等の弾性体である第１シール部材６８を装着するための第１装着溝６２ｄが形成される。第１外径部６２ａとケース部材５０の第１ケース部５０ａの間は第１シール部材６８によりシールされる。第２外径部６２ｂは、第１外径部６２ａより小さい外径に設定される。第３外径部６２ｃは、第１外径部６２ａ及び第２外径部６２ｂより小さい外径に設定される。第３外径部６２ｃにはＯリング等の弾性体である第２シール部材７０を装着するための第２装着溝６２ｅが形成される。
【００２９】
第３水路形成部材６４は、第１軸線方向Ｐｃに延びる筒状部６４ａと、筒状部６４ａの先端部に設けられる板状の散水部６４ｂとを有する。散水部６４ｂには表裏を貫通する複数のシャワー孔６４ｃが形成される。筒状部６４ａ内には、第２水路形成部材６２の第３外径部６２ｃが差し込まれる。筒状部６４ａと第３外径部６２ｃの間は第２シール部材７０によりシールされる。
【００３０】
図５は、第２水路形成部材６２及び第３水路形成部材６４内での水の流れ方を示す図である。第２水路形成部材６２には、シャワー吐水するための水を通す第１通水孔９４と、ストレート吐水するための水を通す第２通水孔９５とが形成される。第１通水孔９４は、第１軸線方向Ｐｃに沿って延びており、第２水路形成部材６２に複数形成される（本図では不図示）。第２通水孔９５は、第１軸線方向Ｐｃに沿って延びる上流側部分９５ｃと、第１径方向Ｐｅに延びる下流側部分９５ｄとを有する。第２通水孔９５には、上流側部分９５ｃを流れる水が衝突し、下流側部分９５ｄに向けて流れるように流れ方向を変更させる衝突面９５ｅが設けられる。
【００３１】
第２水路形成部材６２の第１軸線方向Ｐｃの基端側端面には第１通水孔９４の第１流入口９４ａや第２通水孔９５の第２流入口９５ａが開口する。第２水路形成部材６２の第１軸線方向Ｐｃの先端側端面には第１通水孔９４の第１流出口９４ｂが開口する。第２水路形成部材６２の第２外径部６２ｂの外周面には第２通水孔９５の第２流出口９５ｂが開口する。
【００３２】
第１通水孔９４を通る水は、第２水路形成部材６２と第３水路形成部材６４の間に形成される散水室９６を経由して、シャワー吐水用の吐出流路となる複数のシャワー孔６４ｃに導かれる。散水室９６は、第１通水孔９４より第１軸線方向Ｐｃに直交する断面積が大きくなる。
【００３３】
第２通水孔９５を通る水はストレート吐水用の吐出流路９０に導かれる。吐出流路９０は、第２水路形成部材６２や第３水路形成部材６４を取り囲むように環状に設けられる。吐出流路９０は、第３水路形成部材６４の複数のシャワー孔６４ｃを取り囲むように設けられるともいえる。
【００３４】
図６は、第２水路形成部材６２の基端側端面の一部を示す図である。図５、図６に示すように、第２流入口９５ａは、第２流入口９５ａの周縁部に着座する弁体１０２により開閉可能である。弁体１０２が着座する弁座部１１２には、第２水路形成部材６２の基端側端面から環状に突き出る突条が設けられる。弁体１０２の先端部には弁体１０２の一部となる弾性部材１１６が取り付けられる。弁体１０２は、弁体１０２の弾性部材１１６を弁座部１１２に着座させることで第２流入口９５ａを閉じる。図６では弁体１０２の接触範囲を二点鎖線で示す。
【００３５】
図５（ａ）に示すように、弁体１０２が閉弁状態にあるとき、通水路８２内に流入した水は、第２通水孔９５には流入せずに第１通水孔９４のみに流入する。第１通水孔９４の第１流入口９４ａから流入した水は、第１通水孔９４の第１流出口９４ｂから散水室９６に流出する。散水室９６に流出した水は散水室９６に一時的に溜められ、複数のシャワー孔６４ｃから複数の吐水流Ｗｆ１として吐き出される。この結果、第１通水孔９４に流入した水は、吐水ヘッド１８の吐水口４２から複数の吐水流Ｗｆ１として吐き出される。つまり、シャワー吐水がなされる。
【００３６】
図５（ｂ）に示すように、弁体１０２が開弁状態にあるとき、通水路８２内に流入した水は、第１通水孔９４と第２通水孔９５の両方に流入する。第２通水孔９５の第２流入口９５ａから流入した水は、第２通水孔９５の第２流出口９５ｂから吐出流路９０に流出する。吐出流路９０に流出した水は、吐出流路９０から吐き出され、シャワー孔６４ｃから吐き出される複数の吐水流と合流して単数の吐水流Ｗｆ１を形成する。この結果、第１通水孔９４及び第２通水孔９５の両方に流入した水は、吐水ヘッド１８の吐水口４２から単数の吐水流Ｗｆ２として吐き出される。つまり、ストレート吐水がなされる。
【００３７】
図７は、図４のＢ−Ｂ線断面図である。本実施形態の第２水路形成部材６２の外周面は円形状をなす。第２水路形成部材６２の外周面に形成される第１装着溝６２ｄの内底面も同様に円形状をなす。第２水路形成部材６２には、前述の通り、複数の第１通水孔９４と第２通水孔９５が形成される。複数の第１通水孔９４は、第２水路形成部材６２の外形中心Ｃｂ０周りに間を置いて形成される。本実施形態の第２通水孔９５は円形状をなす。複数の第１通水孔９４の合計での断面積は、第２通水孔９５の断面積より大きくなる。
【００３８】
第１通水孔９４の中心Ｃｂ１や第２通水孔９５の中心Ｃｂ２は、第１軸線方向Ｐｃに直交する断面において、第２水路形成部材６２の外形中心Ｃｂ０に対して偏心する。本実施形態では、第１通水孔９４全体が外形中心Ｃｂ０に対して第１通水孔９４の偏心方向Ｐｙ１にずれた位置に設けられる。第２通水孔９５全体も外形中心Ｃｂ０に対して第２通水孔９５の偏心方向Ｐｙ２にずれた位置に設けられる。
【００３９】
第２水路形成部材６２は、複数の第１通水孔９４及び第２通水孔９５それぞれの内部空間を取り囲む第１外周壁部６２ｆと、複数の第１通水孔９４と第２通水孔９５を隔てる第１仕切り壁部６２ｇと、隣り合う第１通水孔９４を隔てる第２仕切り壁部６２ｈとを有する。第１外周壁部６２ｆは、第２水路形成部材６２の外内を隔て、第２水路形成部材６２の外形中心Ｃｂ０周りの全周に亘り連なる筒状をなす。
【００４０】
第２水路形成部材６２には、第１通水孔９４及び第２通水孔９５のそれぞれに対して、その通水孔９４、９５の偏心方向Ｐｙ１、Ｐｙ２に閉断面の空洞が形成されない。詳しくは、第２水路形成部材６２には、第１通水孔９４に対して第１通水孔９４の偏心方向Ｐｙ１には空洞が形成されずに壁部のみが設けられる。また、第２水路形成部材６２には、第２通水孔９５に対して第２通水孔９５の偏心方向Ｐｙ２にも空洞が形成されずに壁部のみが設けられる。この構造のもとでは、第２流入口９５ａ（図６参照）は、主に、第１仕切り壁部６２ｇと、第２通水孔９５の中心Ｃｂ２に対して偏心方向Ｐｙ２にある壁部Ｓ１とが形成する。本図では壁部Ｓ１にハッチングを付して示す。
【００４１】
これにより、前述の通り、第２水路形成部材６２の第２流入口９５ａを形成する壁部の厚肉化を要するケースのもとでも、第２水路形成部材６２の外径寸法を小型化しつつ、通水孔９４、９５の断面積の確保を図れる。
【００４２】
第２水路形成部材６２の他の特徴を説明する。
第１外周壁部６２ｆは、第１通水孔９４に対して第１通水孔９４の偏心方向Ｐｙ１に位置する範囲Ｓｄにて、同等の肉厚を持って延びている。この範囲Ｓｄでは、第１外周壁部６２ｆの中で最も薄い肉厚又はその肉厚とほぼ同じ肉厚を持って延びる。本明細書での「同等」には同じ肉厚である場合と、ほぼ同じ肉厚である場合の両者が含まれる。
【００４３】
第１仕切り壁部６２ｇの両端部は、第１外周壁部６２ｆの異なる箇所に接続される。第１仕切り壁部６２ｇは、他の壁部との接続部６２ｇａ、６２ｇｂ以外の箇所が同等の肉厚を持って延びている。ここでの他の壁部との接続部とは、第１外周壁部６２ｆとの接続部６２ｇａや、第２仕切り壁部６２ｈとの接続部６２ｇｂをいう。
【００４４】
第２仕切り壁部６２ｈは、第１外周壁部６２ｆと第１仕切り壁部６２ｇに接続され、第１外周壁部６２ｆや第１仕切り壁部６２ｇを補強する役割を果たす。第２仕切り壁部６２ｈも、他の壁部との接続部以外の箇所が同等の肉厚を持って延びている。
【００４５】
以上の構成のもとでは、第１通水孔９４を形成する第１外周壁部６２ｆや第１仕切り壁部６２ｇが同等の肉厚を持って延びている。よって、第１通水孔９４を円形状とするより、第１通水孔９４の中心Ｃｂ１周りの広い範囲で、所要の強度の確保に要する肉厚を無駄なく確保しつつ、第１通水孔９４の断面積を確保し易くなる。なお、このような効果を得るうえで、第１仕切り壁部６２ｇは、第１仕切り壁部６２ｇの両端部のような他の壁部との接続部６２ｇａ、６２ｂ以外の箇所が少なくとも同等の肉厚を持って延びていればよい。たとえば、第１仕切り壁部６２ｇの両端部にある接続部６２ｇａも同等の肉厚を持って延びていてもよい。
【００４６】
隣り合う第１通水孔９４のそれぞれを形成する第１外周壁部６２ｆの内面部６２ｆａは同じ曲率半径の曲線Ｌｄの上を通るように設けられる。詳しくは、これらは同じ曲線Ｌｄの上に沿うように設けられる。隣り合う第１通水孔９４のそれぞれを形成する第１仕切り壁部６２ｇの内面部６２ｇｃは、同じ曲率半径の曲線Ｌｅの上を通るように設けられる。詳しくは、これらは同じ曲線Ｌｅの上に沿うように設けられる。曲線Ｌｄの曲率半径は曲線Ｌｅの曲率半径より大きい。本図では、これらの曲線Ｌｄ、Ｌｅを点Ｐｋ１から点Ｐｋ２までの範囲で示す。
【００４７】
第１軸線方向Ｐｃに直交する断面において、第２通水孔９５の偏心方向Ｐｙ２と直交する方向をＰｙ３とする。第１通水孔９４の一部９４ｃは、第２通水孔９５に対して方向Ｐｙ３に設けられる。第１通水孔９４を形成する第１仕切り壁部６２ｇの内面部６２ｇｃと、第１通水孔９４を形成する第１外周壁部６２ｆの内面部６２ｆａとは、第２通水孔９５の偏心方向Ｐｙ２に凸となる角部９４ｄを介して連ねられる。本実施形態の角部９４ｄは円弧形をなすが、尖形をなしてもよい。これにより、第２通水孔９５に対して方向Ｐｙ３の箇所を有効に活用して第１通水孔９４の断面積を拡大できる。
【００４８】
図４に戻る。吐水ヘッド１８は弁体１０２を有する弁機構１００を備える。弁機構１００は、第１水路形成部材６０に設けられる収納孔１０４に収納される。収納孔１０４は、弁体１０２を第１軸線方向Ｐａに沿った開閉方向Ｐｇにガイド可能である。
【００４９】
弁体１０２は、全体として、開閉方向Ｐｇに延びる柱状をなす。弁体１０２は、後述のように、操作部材６６の押し込み操作により、第２流入口９５ａを開く開弁方向Ｐｇ１に動くように作動させられる。
【００５０】
弁機構１００は、弁体１０２の他に、位置保持機構１２０を有する。本実施形態の位置保持機構１２０は、ハートカム部、カム溝、フォロアピン等を用いたハートカム機構である。位置保持機構１２０は、弁体１０２が開弁方向Ｐｇ１に動くたびに、第２流入口９５ａを閉じる閉弁位置に弁体１０２を保持する閉弁状態と、第２流入口９５ａを開く開弁位置に弁体１０２を保持する開弁状態とを切り替え可能に構成される。
【００５１】
収納孔１０４は、弁体１０２が第２流入口９５ａを閉じる閉弁方向Ｐｇ２に開くとともに弁体１０２の開弁方向Ｐｇ１に底部がある有底孔である。弁体１０２は、弁体１０２の開閉方向Ｐｇの可動範囲での位置によらず、その一部が収納孔１０４内に収納される。収納孔１０４の内部空間は、閉弁方向Ｐｇ２の入口開口部１０４ｃ以外の箇所を通して通水路８２に直接に連通されていない。
【００５２】
図８は、図４のＣ−Ｃ線断面図である。図４、図８に示すように、本実施形態の第１水路形成部材６０の外周面は円形状をなす。第１水路形成部材６０には、第１空洞としての通水路８２と、第２空洞としての収納孔１０４が形成される。通水路８２の下流側部分８２ｂ（図４参照）は第１軸線方向Ｐｃに沿って形成され、収納孔１０４は第１軸線方向Ｐｃに沿って形成される。通水路８２の下流側部分８２ｂは、収納孔１０４より断面積が大きくなる。
【００５３】
通水路８２の中心Ｃｃ１や収納孔１０４の中心Ｃｃ２は、第１軸線方向Ｐｃに直交する断面において、第１水路形成部材６０の外形中心Ｃｃ０に対して偏心する。本実施形態では、通水路８２全体が外形中心Ｃｃ０に対して通水路８２の偏心方向Ｐｚ１にずれた位置に設けられる。収納孔１０４は外形中心Ｃｃ０を含むように設けられる。
【００５４】
第１水路形成部材６０は、収納孔１０４と通水路８２を取り囲む第２外周壁部６０ｄと、収納孔１０４と通水路８２を隔てる隔壁部６０ｅとを有する。第２外周壁部６０ｄは、第１水路形成部材６０の外内を隔てており、第１水路形成部材６０の外形中心Ｃｃ０周りの全周に亘り連なる筒状をなす。
【００５５】
第１水路形成部材６０には、第１軸線方向Ｐｃに直交する断面において、通水路８２及び収納孔１０４のそれぞれに対して、その通水路８２及び収納孔１０４の偏心方向Ｐｚ１、Ｐｚ２に閉断面の他の空洞が形成されない。詳しくは、第１水路形成部材６０には、通水路８２に対して通水路８２の偏心方向Ｐｚ１には他の空洞が形成されずに壁部のみが設けられる。また、第１水路形成部材６０には、収納孔１０４に対して収納孔１０４の偏心方向Ｐｚ２にも他の空洞が形成されずに壁部のみが設けられる。
【００５６】
これにより、図１０を用いて説明したのと同様、二重筒構造を構成する場合と比べ、第１水路形成部材６０の外径寸法を小型化しつつも、通水路８２、収納孔１０４の断面積を確保するように設計し易くなる。
【００５７】
なお、隔壁部６０ｅの両端部６０ｈは、第２外周壁部６０ｄの異なる箇所に接続される。第１軸線方向Ｐｃに直交する断面において、収納孔１０４の偏心方向Ｐｚ２と直交する方向をＰｚ３とする。通水路８２の一部８２ｃは、収納孔１０４に対して方向Ｐｚ３の両側に設けられる。これにより、収納孔１０４に対して方向Ｐｃの箇所を有効に活用して通水路８２の断面積を拡大できる。
【００５８】
図４に戻る。操作ユニット５４は、主に、操作部材６６と、支持部材１４０と、第２付勢部材１４２とを有する。操作部材６６等の操作ユニット５４の構成部品は、吐水ヘッド１８の突出部４８の一部として、その突出部４８の内部に設けられる。
【００５９】
操作部材６６は、第２軸線方向Ｐｄに沿って直線的に動作可能に設けられる。操作部材６６は、弁体１０２の開閉方向Ｐｇと交差する方向に沿って直線的に動作可能であるといえる。本実施形態の操作部材６６はロッドである。操作部材６６は、初期位置（図４の位置）から作動位置に向かう作動方向Ｐｈに動かされることによって、弁体１０２を作動させることが可能である。本実施形態の操作部材６６は、押し込み操作によって作動方向Ｐｈに動かされる。
【００６０】
支持部材１４０は、第２ケース部５０ｂに挿通される筒状をなし、スナップフィット構造等を用いて第２ケース部５０ｂに固定される。支持部材１４０には、操作部材６６が挿通される通孔１４０ａが形成され、支持部材１４０は、操作部材６６を第２軸線方向Ｐｄに沿って移動可能に支持する。
【００６１】
第２付勢部材１４２は、コイルスプリング等の弾性体である。第２付勢部材１４２は、支持部材１４０の通孔１４０ａ内に収容され、操作部材６６に作動位置から初期位置に押し戻す付勢力を付与する。
【００６２】
以上の操作ユニット５４では、操作部材６６に作動方向Ｐｈの外力が付与されると、第２付勢部材１４２の付勢力に抗して、操作部材６６は初期位置から作動位置に向けて直線的に動かされる。操作部材６６に付与される外力を解除すると、第２付勢部材１４２の付勢力により、操作部材６６は作動位置から初期位置に押し戻される。
【００６３】
操作部材６６が初期位置から作動位置に移動すると、操作部材６６は弁体１０２を開弁方向Ｐｇ１に移動させる。操作部材６６が作動位置に移動して初期位置に押し戻される度に、位置保持機構１２０によって、開弁位置に弁体１０２が保持される開弁状態と、閉弁位置に弁体１０２が保持される閉弁状態とが切り替えられる。この結果、第２水路形成部材６２の第２通水孔９５に対する通水の有無が切り替えられ、吐水ヘッド１８の吐水態様が前述のシャワー吐水とストレート吐水の間で切り替えられる。操作部材６６は、外力を受けて操作されることで弁体１０２を開閉可能であり、その開閉により第２通水孔９５に対する切り替えの有無を切り替え可能ということである。
【００６４】
図９は、図４の矢視Ｘａから吐水ヘッド１８を見た図である。以上の操作部材６６は、本体部４６の外周部から突出する突出部４８の少なくとも一部として設けられる。この突出部４８は、本体部４６の中心軸線Ｌｃ周りの一部の範囲Ｓｃに設けられる。突出部４８は、本体部４６の中心軸線Ｌｃ周りの全範囲に設けられない、つまり、突出部４８は筒状ではない。本実施形態の突出部４８は、中心軸線Ｌｃ周りの９０°の範囲内に収まるように設けられる。これにより、第２通水孔９５の通水の有無を切り替えるうえで、特許文献１に記載のような回転式ハンドルを本体部４６に設けずともよくなり、本体部４６の外径寸法の小型化を図れる。
【００６５】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。また、図面の断面に付したハッチングは、ハッチングを付した対象の材質を限定するものではない。
【００６６】
水栓装置として機能する吐水装置１０は、使用者による切替操作を受け付ける操作受付部が物体検知センサ２４である例を説明した。この操作受付部は、手動の切替操作を受け付けるハンドル等でもよい。この場合、吐水装置１０は、ハンドル等に対する切替操作を受けて開閉弁４０を開閉することで、吐水状態と吐水停止状態の間で動作状態を切り替えてもよい。
【００６７】
吐水装置１０の装置本体１４は、吐水管２２を有する例を説明したが、これに限定されない。装置本体１４は、たとえば、ミラーキャビネット等を有してもよい。
【００６８】
吐水ヘッド１８は、吐水口４２から吐水流を吐き出し可能な吐水部品の一例として説明した。吐水部品は、吐水ヘッドに限定されるものではなく、たとえば、シャワーヘッド等でもよい。また、吐水部品はケース部材５０と水路形成部材６０、６２、６４を有する例を説明したが、ケース部材５０はなくともよい。
【００６９】
弁体１０２の開閉状態を切り替えることで吐水部品の吐水態様がシャワー吐水（第１吐水態様）とストレート吐水（第２吐水態様）との間で切り替えられる例を説明した。第１吐水態様と第２吐水態様の具体例はこれに限られない。たとえば、第１吐水態様では第１通水孔９４のみに水を通すことでシャワー吐水の流量を小さくし、第２吐水態様では第１通水孔９４及び第２通水孔９５の両方に水を通すことでシャワー吐水の流量を大きくしてもよい。
【００７０】
第２水路形成部材６２には、第１通水孔９４と第２通水孔９５に対して偏心方向Ｐｙ１、Ｐｙ２に空洞が形成されていなければ、第１通水孔９４、第２通水孔９５の形状に関して特に限られない。第１水路形成部材６０も、通水路８２と収納孔１０４に対して偏心方向Ｐｚ１、Ｐｚ２に空洞が形成されていなければ、通水路８２、収納孔１０４の形状に関して特に限られない。また、第１水路形成部材６０では通水路８２と収納孔１０４が同心状に設けられていてもよい。
【００７１】
操作部材６６は突出部４８の一部として設けられる例を説明したが、本体部４６に回転可能に支持される回転式ハンドルとして設けられてもよい。また、操作部材６６は突出部４８の一部として設けられる例を説明したが、突出部４８の全体を構成していてもよい。いずれにしても、操作部材６６は、突出部４８の少なくとも一部として設けられることになる。
【００７２】
以上の実施形態、変形例により具体化される発明を一般化すると、以下の技術的思想が導かれる。以下、発明が解決しようとする課題に記載の態様を用いて説明する。
【００７３】
第２態様の吐水部品は、第１態様において、前記水路形成部材に対して前記軸線方向の一方側に設けられ、前記軸線方向に延びる他の水路形成部材と、前記他の水路形成部材に形成され、前記通水路となる第１空洞と、前記他の水路形成部材に形成され、前記弁体を収納する第２空洞と、を備え、前記第１空洞及び前記第２空洞のそれぞれの中心は、前記他の水路形成部材の前記軸線方向に直交する断面において、前記他の水路形成部材の外形中心に対して偏心し、前記他の水路形成部材には、前記第１空洞及び前記第２空洞のそれぞれに対して、その空洞が前記外形中心から偏心する方向に他の空洞が形成されなくともよい。
この態様によれば、第１空洞と第２空洞が同心状の二重筒構造を構成する場合と比べ、二重筒構造を構成するうえで要する壁部の一部を省けるようになる。これにより、他の水路形成部材が二重筒構造を構成する場合と比べ、他の水路形成部材を小型化しつつも、通水路、収納孔の断面積を確保するように設計し易くなる。
【００７４】
第３態様の吐水部品は、第１または第２態様において、前記水路形成部材を有するとともに前記弁体を内蔵し、前記軸線方向に延びる本体部と、前記本体部の外周部から突出し、前記本体部の中心軸線周りの一部の範囲に設けられる突出部と、前記突出部の少なくとも一部として設けられ、外力を受けて操作されることで前記弁体の開閉状態を切り替え可能な操作部材と、を備えてもよい。
この態様によれば、第２通水孔の通水の有無を切り替えるうえで、回転式ハンドルを本体部に設けずともよくなり、本体部の外径寸法の小型化を図れる。
【００７５】
第４態様の吐水部品は、第１から第３態様のいずれかにおいて、前記水路形成部材は、前記第１通水孔及び前記第２通水孔を取り囲む第１外周壁部と、前記第１通水孔と前記第２通水孔を隔てる第１仕切り壁部と、を有し、前記第１外周壁部は、前記第１通水孔に対して前記第１通水孔が前記外形中心から偏心する方向に位置する範囲にて、同等の肉厚を持って延びており、前記第１仕切り壁部は、少なくとも他の壁部との接続部以外の箇所が同等の肉厚を持って延びていてもよい。
この態様によれば、第１通水孔を円形状とするより、第１通水孔の中心周りの広い範囲で、所要の強度の確保に要する肉厚を無駄なく確保しつつ、第１通水孔の断面積を確保し易くなる。
【００７６】
第５態様は水栓装置である。第５態様の水栓装置は、第１から第４態様のいずれかの吐水部品を備える。
【符号の説明】
【００７７】
４６…本体部、４８…突出部、６０…第１水路形成部材（他の水路形成部材）、６２…第２水路形成部材、６２ｆ…第１外周壁部、６２ｇ…第１仕切り壁部、６６…操作部材、８２…通水路、９４…第１通水孔、９４ａ…流入口、９５…第２通水孔、１０２…弁体。
【図１】
2019027257.tif 000003
【図２】
2019027257.tif 000004
【図３】
2019027257.tif 000005
【図４】
2019027257.tif 000006
【図５】
2019027257.tif 000007
【図６】
2019027257.tif 000008
【図７】
2019027257.tif 000009
【図８】
2019027257.tif 000010
【図９】
2019027257.tif 000011
【図１０】
2019027257.tif 000012